(57)【要約】【課題】ネットワークに接続されたテレビがレコーダからネットワーク経由でメニュー用ＧＵＩ情報を取得し表示させるとき、レコーダのリモコンとテレビのリモコンの持つキーの違いから、テレビのリモコンではレコーダの機能が使えなかったり、リモコンガイドにテレビのリモコンで使えないキーが表示されてしまう。【解決手段】テレビとレコーダの各リモコンのボタンについて、機能とリモコンキーの定義を共通にし、テレビからメニュー取得のリクエストがあれば、レコーダのメニュー用ＧＵＩ情報の中にリモコンガイドの情報として、その定義を付加して送信する。  テレビはネットワークＩ／Ｆを介してＵＩデータを受け取った後、ＵＩ表示部はキー判定部を用いてその番号をチェックし、テレビのリモコンのキーで無いと判断したら、キー置き換え部を用いテレビのリモコンの未使用のキーに置き換えるようにする。【選択図】図１
2010109408.tif 000002
【特許請求の範囲】
【請求項１】
映像再生機器とネットワークで接続された映像表示機器におけるメニュー表示システムであって、
前記映像再生機器は、
当該映像再生機器の操作に用いるリモコンのキーと当該キーの固有番号とを対応付けて保存するキー通し番号ＤＢと、
リモコンのキーの固有番号を前記キー通し番号ＤＢから取得して付加した、当該映像再生機器を操作するためのＵＩデータを生成するＵＩデータ生成部と、
前記ＵＩデータを前記映像表示機器に送信するネットワークＩ／Ｆ手段とを備え、
前記映像表示機器は、
前記映像再生機器から前記ＵＩデータを取得するネットワークＩ／Ｆ手段と、
当該映像表示機器の操作に用いるリモコンのキーと当該キーの固有番号とを対応付けて保存するキー通し番号ＤＢと、
前記ＵＩデータに含まれたキーの固有番号をもとに、前記ＵＩデータには当該映像表示機器の操作に用いるリモコンに対応するキーの有無を判断するキー判定部と、
前記キー判定部により当該映像表示機器の操作に用いるリモコンに対応するキーが前記ＵＩデータにはないものと判断された場合には、前記ＵＩデータには用いられていない当該映像表示機器の操作に用いるリモコンに対応するキーを、当該映像表示機器の前記キー通し番号ＤＢから取得し、前記ＵＩデータのキーと置き換えるキー置換部と、
前記ＵＩデータまたは前記キー置換部により置換されたＵＩデータとをもとに前記映像再生機器のＵＩ画面を表示するＵＩ表示部とを備えた
ことを特徴とするメニュー表示システム。
【請求項２】
映像再生機器とネットワークで接続された映像表示機器におけるメニュー表示方法であって、
前記映像再生機器は、
当該映像再生機器の操作に用いるリモコンのキーと当該キーの固有番号とを対応付けて保存するキー通し番号ＤＢ保存手段と、
リモコンのキーの固有番号を前記キー通し番号ＤＢから取得して付加した、当該映像再生機器を操作するためのＵＩデータを生成するＵＩデータ生成手段と、
前記ＵＩデータを前記映像表示機器に送信する送信手段とを含み、
前記映像表示機器は、
前記映像再生機器から前記ＵＩデータを取得する受信手段と、
当該映像表示機器の操作に用いるリモコンのキーと当該キーの固有番号とを対応付けて保存するキー通し番号ＤＢ保存手段と、
前記ＵＩデータに含まれたキーの固有番号をもとに、前記ＵＩデータには当該映像表示機器の操作に用いるリモコンに対応するキーの有無を判断するキー判定手段と、
前記キー判定部により当該映像表示機器の操作に用いるリモコンに対応するキーが前記ＵＩデータにはないものと判断された場合には、前記ＵＩデータには用いられていない当該映像表示機器の操作に用いるリモコンに対応するキーを、前記ＵＩデータのキーと置き換えるキー置換手段と、
前記ＵＩデータまたは前記キー置換部により置換されたＵＩデータとをもとに前記映像再生機器のＵＩ画面を表示するＵＩ表示手段とを含む
ことを特徴とするメニュー表示方法。
【請求項３】
リモコンのキー番号を含んだＵＩデータを映像再生機器から取得して前記ＵＩデータを表示する映像表示機器であって、
当該映像表示機器の操作に用いるリモコンのキーと当該キーの固有番号とを対応付けて保存するキー通し番号ＤＢと、
前記ＵＩデータに含まれたキーの固有番号をもとに、前記ＵＩデータには当該映像表示機器の操作に用いるリモコンに対応するキーの有無を判断するキー判定部と、
前記キー判定部により当該映像表示機器の操作に用いるリモコンに対応するキーが前記ＵＩデータにはないものと判断された場合には、前記ＵＩデータには用いられていない当該映像表示機器の操作に用いるリモコンに対応するキーを、当該映像表示機器の前記キー通し番号ＤＢから取得し、前記ＵＩデータのキーと置き換えるキー置換部と、
前記ＵＩデータまたは前記キー置換部により置換されたＵＩデータとをもとに前記映像再生機器のＵＩ画面を表示するＵＩ表示部とを備えたことを特徴とする映像表示機器。
【発明の詳細な説明】
【技術分野】
【０００１】
本発明は、ＬＡＮ（Ｌｏｃａｌ  Ａｒｅａ  Ｎｅｔｗｏｒｋ）ケーブルなどを通じて、デジタルテレビジョン（以下、テレビと略す）や、ハードディスク（Ｈａｒｄ  Ｄｉｓｋ  Ｄｒｉｖｅ）内蔵ＤＶＤレコーダなどの記録再生機器（以下、レコーダと略す）と接続されるこれらテレビやレコーダなどを含めた機器である映像再生機において、リモコンキーに対する機能の再割当方法および映像再生機で使用するＧｒａｐｈｉｃａｌ  Ｕｓｅｒ  Ｉｎｔｅｒｆａｃｅ（ＧＵＩ）の操作方法を示すリモコンガイドの表示方法に関するものであり、より利用者に使い勝手のよいＧＵＩを提供できるようにするリモコンガイド表示変更システムに関する。
【背景技術】
【０００２】
近年、一般家庭においてもＬＡＮケーブルやＨＤＭＩケーブルを用いた各種ネットワークを通じて、相互に接続可能なテレビやレコーダが普及しつつある。
【０００３】
これらの機器がネットワークにより接続されることにより、例えば、テレビとレコーダとが接続された場合には、ネットワーク内のレコーダなどから送られた映像データをテレビに表示させることが可能になる。さらに、レコーダなどが表示しているメニューをテレビに表示し、そのメニューを通じてレコーダを操作することも可能となる。
【０００４】
しかしながら、レコーダのリモコンとテレビのリモコンの持つキーに違いがある場合には、レコーダが生成したメニューをそのままテレビに表示させるのでは、メニューの中に含まれるリモコンガイドには、テレビのリモコンでは使えないキーが表示されてしまうという課題がある。
【０００５】
特許文献１には、このような課題を解決するために、テレビのリモコンの持つキーにあわせたリモコンガイドをホストコンピュータからダウンロードして用いる技術が開示されている。
【特許文献１】特開２００２−１４０１５５号公報
【発明の開示】
【発明が解決しようとする課題】
【０００６】
しかしながら、上記のような構成では、テレビがホストコンピュータと通信できない場合には、テレビのリモコンに対応したリモコンガイドを表示できない。また、多数のリモコンと多数の機器の組み合わせに応じたリモコンガイドを作成するにも限りがあったり、リモコンガイドの更新が遅滞したりするなど、リモコンガイドが必ずしもサーバに登録なされていないこともありえる。
【課題を解決するための手段】
【０００７】
上記課題を解決するために、本発明のメニュー表示システムは、映像再生機器とネットワークで接続された映像表示機器におけるメニュー表示システムであって、前記映像再生機器は、当該映像再生機器の操作に用いるリモコンのキーと当該キーの固有番号とを対応付けて保存するキー通し番号ＤＢと、リモコンのキーの固有番号を前記キー通し番号ＤＢから取得して付加した、当該映像再生機器を操作するためのＵＩデータを生成するＵＩデータ生成部と、前記ＵＩデータを前記映像表示機器に送信するネットワークＩ／Ｆ手段とを備え、前記映像表示機器は、前記映像再生機器から前記ＵＩデータを取得するネットワークＩ／Ｆ手段と、当該映像表示機器の操作に用いるリモコンのキーと当該キーの固有番号とを対応付けて保存するキー通し番号ＤＢと、前記ＵＩデータに含まれたキーの固有番号をもとに、前記ＵＩデータには当該映像表示機器の操作に用いるリモコンに対応するキーの有無を判断するキー判定部と、前記キー判定部により当該映像表示機器の操作に用いるリモコンに対応するキーが前記ＵＩデータにはないものと判断された場合には、前記ＵＩデータには用いられていない当該映像表示機器の操作に用いるリモコンに対応するキーを、当該映像表示機器の前記キー通し番号ＤＢから取得し、前記ＵＩデータのキーと置き換えるキー置換部と、前記ＵＩデータまたは前記キー置換部により置換されたＵＩデータとをもとに前記映像再生機器のＵＩ画面を表示するＵＩ表示部とを備えたことを特徴とする。
【発明の効果】
【０００８】
レコーダなどが作成したリモコンガイドデータにおいて、テレビなどのリモコンにはないキーの情報があったとしても、テレビなどのリモコンのうち空いているキーを再割り当てしたリモコンガイドに変更され、表示されるので、ユーザがテレビなどのリモコンを用いてもレコーダなどを操作することができる。
【発明を実施するための最良の形態】
【０００９】
以下、本発明を実施するための最良の形態について、図面を参照しながら説明する。
【００１０】
（実施の形態１）
図１は、本発明の実施の形態１におけるメニュー表示システムの構成図である。
【００１１】
図１において、映像表示機器の一つの例であるテレビ１０１と、映像再生機器の一つの例であるレコーダ１０２とは、ネットワークを通じて接続されている。ネットワークとしては、例えば、イーサネット（登録商標）を用いて接続することができる。
【００１２】
レコーダ１０２から出力される映像は、図示しない映像ケーブルを通じてテレビ１０１の画面に表示なされる。映像信号としては、コンポジット信号などを利用することもできる。
【００１３】
テレビ１０１の画面において表示される、レコーダ１０２のメニューは、例えば、図２（ｂ）の２０２のように表示される。レコーダ１０２のリモコンを用いることにより、レコーダ１０２のメニューを操作することができる。
【００１４】
テレビ１０１は、ネットワーク規格のＵＰｎＰ（Ｕｎｉｖｅｒｓａｌ  Ｐｌｕｇ  ＆  Ｐｌａｙ）に対応しており、ＵＰｎＰクライアント機器として動作する。
【００１５】
レコーダ１０２は、テレビ１０１と同様に、ＵＰｎＰに対応しており、ＵＰｎＰのサーバ機器として動作する。
【００１６】
テレビ１０１は、ＵＩ表示部１０７、キー判定部１０８、テレビ用キー通しＤＢ１０９、キー置換部１１０、ネットワークＩ／Ｆ１１１を持つ。
【００１７】
ＵＩ表示部１０７は、レコーダ１０２を操作するためのメニュー用ＵＩデータをネットワークＩ／Ｆ１１１を通じてレコーダ１０２から取得し、画面上に表示する。ＵＩ表示部１０７は、ブラウザを用いて構成することができる。
【００１８】
キー判定部１０８は、ＵＩ表示部１０７が画面にメニューを表示する前に、テレビ用キー通しＤＢ１０９を用いてレコーダ１０２から入手したＵＩデータのリモコンガイドの情報にテレビのリモコンでは使えないキーが含まれていないかどうかを確認する。
【００１９】
テレビ用キー通しＤＢ１０９は、図３の３０１のように、テレビ用リモコンの各キーに番号が割り当てられているとき、その番号に対応する機能について、対応付けて保存している。例えば、図４の４０１のような表の形で保持しても構わない。テレビ用キー通しＤＢ１０９は、キー情報から対応するリモコンの機能を検索したり、逆にリモコンの機能から対応するキー情報を検索することができる。キーとリモコンの機能の定義は、共通の機能については同じ番号となるようにテレビ１０１のリモコンとレコーダ１０２のリモコンとは共通になっている。
【００２０】
キー置換部１１０は、テレビ１０１用のリモコンのキーのうち、レコーダ１０２の操作には使われていないキーを捜し、それを指定された機能に割り当てる。指定された機能は、レコーダ１０２のリモコンにあるキーであって、テレビ１０１用のリモコンにはないキー等である。
【００２１】
ネットワークＩ／Ｆ１１１は、テレビ１０１と接続されたＬＡＮ等のネットワークを通じて、他の機器との情報の入出を行う。本実施の形態１では、ＬＡＮを例に説明しているが、このほかにＨＤＭＩなどによる接続等、その他のネットーワークにより接続しても構わない。
【００２２】
レコーダ１０２は、ＵＩデータ生成部１０３、キー通し番号付加部１０４、キー通し番号ＤＢ１０５、ネットワークＩ／Ｆ１０６で構成されている。
【００２３】
キー通し番号付加部１０４は、キー通し番号ＤＢ１０５から、レコーダ用リモコンキーに対応するリモコンキーの通し番号を取得する。
【００２４】
ＵＩデータ生成部１０３は、メニュー画面にリモコンガイド情報が追加されたＵＩデータを作成する。その際に、キー通し番号付加部１０４から取得した、リモコンガイドのキーに対応するリモコンキーの通し番号とをＵＩデータに含める。なお、キー通し番号付加部１０４をＵＩデータ生成部１０３に含めて、ＵＩデータを生成する際に、ＵＩデータ生成部１０３が直接キー通し番号ＤＢ１０５を参照するように構成しても構わない。
【００２５】
キー通し番号ＤＢ１０５は、図３の３０２のように、レコーダ１０２用のリモコンの各キーに割り当てられている番号と、その番号に対応する機能について保存している。保存する形式は、例えば、図４の４０２のような表の形式とすることができ、キー情報から機能を検索したり、逆に機能からキー情報を検索することができる。キー通し番号ＤＢ１０５に格納されるリモコンのキーと機能の定義は、レコーダ１０２用のリモコンと、テレビ１０１用のリモコンとで共通となっているものには、共通の番号を付与している。
【００２６】
ネットワークＩ／Ｆ１０６は、テレビ１０１と接続されたＬＡＮ等を通じて、他の機器との情報の入出力部となる。本実施の形態１では、ＬＡＮを例に説明しているが、このほかにＨＤＭＩなどによる接続等、その他ネットーワークにより接続しても構わない。
【００２７】
次に、上記テレビ１０１とレコーダ１０２の動作について、図６を用いて説明する。
【００２８】
まず、テレビ１０１とレコーダ１０２とがＬＡＮケーブルで接続されると、レコーダ１０２は、レコーダ１０２のネットワークＩ／Ｆ１０６を通じて図７のようなｓｓｄｐ：：ａｌｉｖｅを用いてネットワーク参加通知をネットワークにつながっているＵＰｎＰ対応機器すべてにブロードキャストで送る。テレビ１０１はその通知を受けて図８のようなＤＤＤ（Ｄｅｖｉｃｅ  ｄｉｓｃｒｉｐｔｉｏｎ  ｄｏｃｕｍｅｎｔ）をレコーダから取得し、ＤＤＤの中に書かれているＰｒｅｓｅｎｔａｔｉｏｎＵＲＬを、ＧＵＩを取得するときの情報として、保持する。
【００２９】
テレビ１０１のＵＩ表示部１０７は、ユーザからリモコンを通じてメインメニュー表示の指示を受けると、ネットワークＩ／Ｆ１１１を通じて、ＰｒｅｓｅｎｔａｔｉｏｎＵＲＬで書かれている位置に対して、ｈｔｔｐ−ＧＥＴコマンドを用いてレコーダ１０２のメインメニュー用のＧＵＩ部品をリクエストする。ここでのＧＵＩ部品はＸＭＬで構成されているものとする。
【００３０】
ネットワークＩ／Ｆ１０６を通じてリクエストを受けたレコーダ１０２のＵＩデータ生成部１０３は、メインメニュー用ＵＩ情報として、キー通し番号付加部１０４を用いてレコーダ用リモコンキーと対応する機能が付加されたリモコンガイド情報を含めたＵＩ情報を作成し、テレビ１０１に送信する。このＵＩ情報は、図５（ａ）に示したようなＸＭＬで構成することができる。
【００３１】
ここで、今回送られたＵＩ情報をそのままＵＩ表示部１０７を使って表示させた場合、図２（ｂ）のメニュー２０２のように、次項を表示するためのリモコンキーとしてレコーダ１０２にしかないスキップ（進む）ボタン２０２２、前項を表示するためのリモコンキーとしてスキップ（戻る）ボタン２０２１が表示されるものとする。
【００３２】
そこで、テレビ１０１のＵＩ表示部１０７はＵＩ情報について、キー判定部１０８を用いてレコーダ１０２から入手したＵＩデータのリモコンガイドの情報にテレビ１０１のリモコンでは使えないキーが含まれていないかどうかをまず確認する。この場合、レコーダ１０２のリモコンキーの機能割り当てには存在して、テレビ１０１のリモコンキーの機能割り当てには存在しないキーを抽出することで、テレビ１０１のリモコンでは使えないキーが含まれることが判断できる。図４のテーブル４０１（テレビ１０１が保持するリモコンキーの機能割当）とテーブル４０２（レコーダ１０２のリモコンのキーの機能割当の表）の一例を示す。
【００３３】
ここでは、スキップ（進む）ボタン２０２２、スキップ（戻る）ボタン２０２１がレコーダ１０２にしかないキーと判定できる。そして、テレビ１０１で、その代わりに使っても構わないボタンを割り出す。図４では、テレビ１０１のリモコンキーと、レコーダ１０２のリモコンキーとで共通に表れるものをハッチングにより表している。テレビ１０１のリモコンキーのうち、レコーダ１０２のリモコンキーに出現しないものは、レコーダ１０２のリモコンキーをテレビ１０１のリモコンキーで代用できるものと判断できる。図４の４０１の表のうち、ハッチングを施していないものが代用できるリモコンキーとなる。例えば、番号が１０３１〜１０３９に割り当てられているキーについては、テレビ１０１のリモコンには用いられているものの、レコーダ１０２のリモコンには用いられてはいない。
【００３４】
キー置換部１１０は、テレビ１０１のリモコンキーの中から代用できるリモコンキーとして、テレビ１０１のリモコンキーの「４」をスキップ（戻る）ボタンとして、「６」をスキップ（進む）ボタンとして一例として置き換えたＵＩ情報を生成する。
【００３５】
これにより、置換後のＵＩ情報を用いてＵＩ表示部１０７がメニュー画面を表示すると、図２（ａ）のメニュー画面２０１のように表示され、テレビ１０１でも、テレビ１０１のリモコンキーの「４」、「６」を用いて前項、次項の操作ができるメニュー画面が生成される。そしてメニュー画面には、テレビ１０１のリモコンキーを用いて操作できることを示すため、リモコンガイドでも数字の「４」、「６」を表示する。
【００３６】
以上のような構成により、レコーダ１０２が作成したリモコンガイドデータにおいてテレビ１０１のリモコンにないキーの情報があったとしても、図２（ａ）のメニュー画面２０１のように、テレビ１０１のリモコンのうち、空いているキーを再割当してリモコンガイドを変更して表示する。これにより、再割当されたキーで操作することができる。
【００３７】
なお、本実施の形態ではテレビリモコンのうち空いているキーを再割当したが、空いているキーがなくなってしまった場合、テレビリモコンからそのキーが使えないようにし、リモコンガイドから使えないキーを消去してもよい。
【００３８】
また、空いているキーがあった場合でも、テレビリモコンにはないボタンであれば、リモコンガイドから使えないようにし、リモコンガイドから消去してもよい。
【産業上の利用可能性】
【００３９】
本発明にかかるリモコンガイド表示変更システムは、ホームネットワークに接続可能なテレビやＨＤＤ−ＤＶＤレコーダにおいて、各リモコンが持つボタンの機能割当が違う場合に、リモコンボタン機能再割当手段およびリモコンガイドの表示手段として有用である。
【図面の簡単な説明】
【００４０】
【図１】本発明の実施の形態１におけるメニュー表示システムの構成図
【図２】本発明の実施の形態１におけるテレビとレコーダでのＧＵＩ表示例を表す図
【図３】本発明の実施の形態１におけるテレビとレコーダのリモコンのキー情報の割当例を表す図
【図４】本発明の実施の形態１におけるテレビとレコーダのリモコンキーと機能割当の例を表す図
【図５】本発明の実施の形態１におけるＵＩ情報の例を示す図
【図６】本発明の実施の形態１におけるテレビとレコーダ間でのＵＩ情報取得の手順を示す図
【図７】ｓｓｄｐ：：ａｌｉｖｅの例を示す図
【図８】ＤＤＤの例を示す図
【符号の説明】
【００４１】
１０１  テレビ
１０２  レコーダ
１０３  ＵＩデータ生成部
１０４  キー通し番号付加部
１０５  キー通し番号ＤＢ
１０６  ネットワークＩ／Ｆ
１０７  ＵＩ表示部
１０８  キー判定部
１０９  キー通し番号ＤＢ
１１０  キー置換部
１１１  ネットワークＩ／Ｆ
【図１】
2010109408.tif 000003
【図２】
2010109408.tif 000004
【図３】
2010109408.tif 000005
【図４】
2010109408.tif 000006
【図５】
2010109408.tif 000007
【図６】
2010109408.tif 000008
【図７】
2010109408.tif 000009
【図８】
2010109408.tif 000010